(57)【要約】【課題】通信端末装置１台で広範囲網と狭範囲網の両方において通信を行うことができ、携帯の際にかさばらないとともに、通信環境の良好な通信網を用いることにより受信品質が良好な効率の良い通信を行うこと。【解決手段】スイッチ４０１は、アンテナ１０１ｂにて受信した広範囲網からの受信信号を復調部１１１ｂへ出力する経路と、アンテナ１０１ｃにて受信した狭範囲網からの受信信号を復調部１１１ｂへ出力する経路とを切り替える。復調部１１１ｂは、アンテナ１０１ｂにて受信された受信信号及びアンテナ１０１ｃにて受信された受信信号のうち、スイッチ４０１によって接続されているいずれか一方からの受信信号を復調する。ベースバンド部１１２は、復調部１１１ａにて復調された受信データと復調部１１１ｂにて復調された受信データとが入力した場合は、受信強度が強い方を選択して表示部１１７等へ出力する。【選択図】　　　図４
2004080312.tif 000002
【特許請求の範囲】
【請求項１】
狭範囲網を介して送信された狭範囲網信号を受信する狭範囲網信号受信手段と、前記狭範囲網信号を復調する狭範囲網信号復調手段と、広範囲網を介して送信された広範囲網信号を受信する広範囲網信号受信手段と、前記広範囲網信号を復調する広範囲網信号復調手段と、を具備することを特徴とする通信端末装置。
【請求項２】
前記広範囲網信号受信手段は、第１の広範囲網信号及び第２の広範囲網信号を受信し、前記第１の広範囲網信号及び前記第２の広範囲網信号のいずれか受信品質が良好な方を選択して受信データを得ることを特徴とする請求項１記載の通信端末装置。
【請求項３】
前記広範囲網信号復調手段は、前記広範囲網信号受信手段にて受信した前記第１の広範囲網信号及び前記第２の広範囲網信号を個別に復調するとともに、前記第１の広範囲網信号及び前記第２の広範囲網信号のいずれか一方の信号を復調する前記広範囲網復調手段を用いて、前記一方の第１の広範囲網信号及び第２の広範囲網信号と前記狭範囲網信号受信手段にて受信した狭範囲網信号とを切り替えて復調することを特徴とする請求項２記載の通信端末装置。
【請求項４】
前記狭範囲網信号復調手段により復調した受信データを報知する報知手段を有し、前記報知手段は、前記広範囲網信号の情報と同一情報を報知することを特徴とする請求項１から請求項３のいずれかに記載の通信端末装置。
【請求項５】
前記広範囲網を用いて送信する信号と前記狭範囲網を用いて送信する信号とを切り替えて送信する送信手段を有することを特徴とする請求項１から請求項４のいずれかに記載の通信端末装置。
【請求項６】
前記狭範囲網信号は、無線ＬＡＮ方式により送受信を行う信号であることを特徴とする請求項１から請求項５のいずれかに記載の通信端末装置。
【請求項７】
広範囲網を介して送信された第１の広範囲網信号を受信する工程と、広範囲網を介して送信された第２の広範囲網信号を受信する工程と、狭範囲網を介して送信された狭範囲網信号を受信する工程と、受信した前記第１の広範囲網信号を復調する工程と、受信した前記第２の広範囲網信号及び受信した前記狭範囲網信号のいずれか一方を切り替えて復調する工程と、を具備することを特徴とする受信方法。
【発明の詳細な説明】
【０００１】
【発明の属する技術分野】
本発明は、通信端末装置及び受信方法に関する。
【０００２】
【従来の技術】
従来の通信端末装置は、日本国内等の広いエリアの広範囲網にて通信を行う携帯電話等の通信端末と、室内等の狭いエリアの狭範囲網にて無線ＬＡＮ等により通信を行う通信端末とがある。そして、広範囲網で使用する通信端末装置は広範囲網でのみ使用し、狭範囲網で使用する通信端末装置は狭範囲網でのみ使用するものである。
【０００３】
また、従来の通信端末装置は、視聴覚障害者が携帯して所望の案内を表示若しくは音等により報知してもらうものが知られている。例えば、視聴覚障害者がお店に来店した場合は、店内の案内処理管理装置より視聴覚障害者が携帯する通信端末装置にお店の案内情報を報知するものがある。
【０００４】
【発明が解決しようとする課題】
しかしながら、従来の通信端末装置及び受信方法においては、広範囲網と狭範囲網との両方において通信を行う場合は、広範囲網にて使用する通信端末装置と狭範囲網にて使用する通信端末装置の２つの通信端末装置が必要であるため、携帯の際にかさばってしまうという問題がある。また、狭範囲網にて使用する通信端末装置を携帯していない場合は、広範囲網にて使用する通信端末装置を携帯していても狭範囲網における通信を行うことができないという問題がある。また、広範囲網専用の通信端末装置しか携帯していない場合は、広範囲網における通信環境が良くない場合であっても、広範囲網による通信しか行えないため、受信品質が悪くなるとともに受信した信号に誤りがある場合には再送要求を行う必要がある等により、効率の良い通信を行うことができないという問題がある。
【０００５】
本発明はかかる点に鑑みてなされたものであり、通信端末装置１台で広範囲網と狭範囲網の両方において通信を行うことができ、携帯の際にかさばらないとともに、通信環境の良好な通信網を用いることにより受信品質が良好な効率の良い通信を行うことができる通信端末装置及び受信方法を提供することを目的とする。
【０００６】
【課題を解決するための手段】
本発明の通信端末装置は、狭範囲網を介して送信された狭範囲網信号を受信する狭範囲網信号受信手段と、前記狭範囲網信号を復調する狭範囲網信号復調手段と、広範囲網を介して送信された広範囲網信号を受信する広範囲網信号受信手段と、前記広範囲網信号を復調する広範囲網信号復調手段と、を具備する構成を採る。
【０００７】
この構成によれば、広範囲網信号と狭範囲網信号の両方の信号を同一の通信端末装置にて復調することができるので携帯する際にかさばらず、広範囲網と狭範囲網の両方を通信環境に応じて選択して通信を行うことができるため、受信品質が良好な通信網を用いて通信を行うことができ、効率の良い通信を行うことができる。
【０００８】
本発明の通信端末装置における前記広範囲網信号受信手段は、第１の広範囲網信号及び第２の広範囲網信号を受信し、前記第１の広範囲網信号及び前記第２の広範囲網信号のいずれか受信品質が良好な方を選択して受信データを得る構成を採る。
【０００９】
この構成によれば、広範囲網を用いる通信においてダイバーシチ受信することができるため、フェージング等の影響を受けない受信品質が良好な受信信号を選択して受信データを得ることができる。
【００１０】
本発明の通信端末装置における前記広範囲網信号復調手段は、前記広範囲網信号受信手段にて受信した前記第１の広範囲網信号及び前記第２の広範囲網信号を個別に復調するとともに、前記第１の広範囲網信号及び前記第２の広範囲網信号のいずれか一方の信号を復調する前記広範囲網復調手段を用いて、前記一方の第１の広範囲網信号及び第２の広範囲網信号と前記狭範囲網信号受信手段にて受信した狭範囲網信号とを切り替えて復調する構成を採る。
【００１１】
この構成によれば、第１の広範囲網信号及び第２の広範囲網信号のいずれか一方の信号を復調する復調回路と狭範囲網信号を復調する復調回路とを兼用することができるため、回路規模を小さくすることができ、装置全体を小型化することができる。
【００１２】
本発明の通信端末装置は、前記狭範囲網信号復調手段により復調した受信データを報知する報知手段を有し、前記報知手段は、前記広範囲網信号の情報と同一情報を報知する構成を採る。
【００１３】
この構成によれば、広範囲網と狭範囲網との両方を用いて同一情報を報知するため、老人及び視聴覚障害者は自分が入手可能な方法により情報を入手することができ、必要な情報を確実に入手することができる。
【００１４】
本発明の通信端末装置は、前記広範囲網を用いて送信する信号と前記狭範囲網を用いて送信する信号とを切り替えて送信する送信手段を有する構成を採る。
【００１５】
この構成によれば、広範囲網を用いて送信する場合と狭範囲網を用いて送信する場合とで送信信号を処理する回路を共用するので、回路規模を小さくすることができ、装置全体を小型化することができる。
【００１６】
本発明の通信端末装置における前記狭範囲網信号は、無線ＬＡＮ方式により送受信を行う信号である構成を採る。
【００１７】
この構成によれば、狭いエリアにおける通信に適している無線ＬＡＮ方式を用いて通信を行うため、屋外と室内等のように異なる環境に適した方式にて通信を行うことができる。
【００１８】
本発明の受信方法は、広範囲網を介して送信された第１の広範囲網信号を受信する工程と、広範囲網を介して送信された第２の広範囲網信号を受信する工程と、狭範囲網を介して送信された狭範囲網信号を受信する工程と、受信した前記第１の広範囲網信号を復調する工程と、受信した前記第２の広範囲網信号及び受信した前記狭範囲網信号のいずれか一方を切り替えて復調する工程と、を具備することである。
【００１９】
この方法によれば、広範囲網信号と狭範囲網信号の両方の信号を同一の通信端末装置にて復調することができるので携帯する際にかさばらず、広範囲網と狭範囲網の両方を通信環境に応じて選択して通信を行うことができるため、受信品質が良好な通信網を用いて通信を行うことができ、効率の良い通信を行うことができる。さらに、第１の広範囲網信号及び第２の広範囲網信号のいずれか一方の信号を復調する復調回路と狭範囲網信号を復調する復調回路とを兼用することができるため、回路規模を小さくすることができて装置全体を小型化することができる。
【００２０】
【発明の実施の形態】
本発明の骨子は、主に携帯電話により通信を行うための広範囲網による送受信及び無線ＬＡＮ等による狭いエリアにおいて通信を行うための狭範囲網による送受信を、１台の通信端末装置にて行うことである。さらに、広範囲網の受信信号をダイバーシチ受信にして復調回路を２つ設けるとともに、広範囲網の受信信号の１つの復調回路と狭範囲網の受信信号の復調回路とをスイッチにて切り替えて、共用することである。
【００２１】
以下、本発明の実施の形態について、図面を参照して詳細に説明する。
【００２２】
（実施の形態１）
図１は、本発明の実施の形態１に係る通信端末装置の構成を示す図である。本実施の形態における通信端末装置１００は、分波部１０２、増幅部１０３ａ〜１０３ｃ、フィルタ部１０４ａ〜１０４ｃ、増幅部１０５ａ〜１０５ｃ、中間周波数変換部１０６ａ〜１０６ｃ、シンセサイザ１０７ａ、１０７ｂ、フィルタ部１０８ａ〜１０８ｃ、増幅部１０９ａ〜１０９ｃ、増幅部１１０ａ〜１１０ｃ、復調部１１１ａ〜１１１ｃ、ベースバンド部１１２、分波部１１３、分波部１１４、送信部１１６、表示部１１７、入力部１１８、振動部１１９、音声部１２０、記憶部１２１、カメラ１２２及び映像入出力端子部１２３とから主に構成される。
【００２３】
分波部１０２、増幅部１０３ａ、フィルタ部１０４ａ、増幅部１０５ａ、中間周波数変換部１０６ａ、シンセサイザ１０７ａ、フィルタ部１０８ａ、増幅部１０９ａ、増幅部１１０ａ及び復調部１１１ａは、第１の受信系を形成しており、携帯電話等の広範囲網からの受信信号の処理を行う。また、送信部１１６及び分波部１０２は、第１の送信系を形成しており、携帯電話等の広範囲網へ送信する送信信号の処理を行う。また、分波部１１３、増幅部１０３ｂ、フィルタ部１０４ｂ、増幅部１０５ｂ、中間周波数変換部１０６ｂ、シンセサイザ１０７ａ、フィルタ部１０８ｂ、増幅部１０９ｂ、増幅部１１０ｂ及び復調部１１１ｂは、第２の受信系を形成しており、携帯電話等の広範囲網からの受信信号の処理を行う。また、分波部１１４、増幅部１０３ｃ、フィルタ部１０４ｃ、増幅部１０５ｃ、中間周波数変換部１０６ｃ、シンセサイザ１０７ｂ、フィルタ部１０８ｃ、増幅部１０９ｃ、増幅部１１０ｃ及び復調部１１１ｃは、第３の受信系を形成しており、無線ＬＡＮ等の狭範囲網からの受信信号の処理を行う。第１の受信系と第２の受信系により、空間ダイバーシチ等のダイバーシチ受信を行うことができる。なお、増幅部１０３ａ〜１０３ｂ、フィルタ部１０４ａ〜１０４ｃ、増幅部１０５ａ〜１０５ｃ、中間周波数変換部１０６ａ〜１０６ｃ、フィルタ部１０８ａ〜１０８ｃ、増幅部１０９ａ〜１０９ｃ、増幅部１１０ａ〜１１０ｃ及び復調部１１１ａ〜１１１ｃの各々は、第１の受信系、第２の受信系及び第３の受信系の全てにおいて、処理する信号の種類が異なる以外は同一動作であるので、まとめて説明する。
【００２４】
本発明においては、第１の受信系及び第２の受信系からなる広範囲網信号を処理する回路と、第３の受信系からなる狭範囲網信号を処理する回路との２種類の信号処理回路を有する構成に特徴がある。なお、広範囲網とは、不特定若しくは特定の公衆が相互に通信を行うことができる広い範囲で設けられた無線通信が可能な通信網であり、狭範囲網とは、電車、バス、デパート、建物などの狭い範囲で設けられた無線通信が可能な通信網である。
【００２５】
分波部１０２は、第１の広範囲網信号受信手段及び送信手段であるアンテナ１０１ａにて受信した広範囲網信号である受信信号と後述する送信部１１６から入力した広範囲網信号である送信信号とを分波し、アンテナ１０１ａにて受信した受信信号を増幅部１０３ａへ出力するとともに、送信部１１６から入力した送信信号をアンテナ１０１ａから送信する。
【００２６】
増幅部１０３ａ〜１０３ｃは、分波部１０２、１１３、１１４から入力した受信信号を増幅してフィルタ部１０４ａ〜１０４ｃへ出力する。
【００２７】
フィルタ部１０４ａ〜１０４ｃは、増幅部１０３ａ〜１０３ｃから入力した受信信号に対して、スプリアスの抑制処理を行って増幅部１０５ａ〜１０５ｃへ出力する。
【００２８】
増幅部１０５ａ〜１０５ｃは、フィルタ部１０４ａ〜１０４ｃから入力した受信信号を増幅して中間周波数変換部１０６ａ〜１０６ｃへ出力する。
【００２９】
中間周波数変換部１０６ａ〜１０６ｃは、増幅部１０５ａ〜１０５ｃから入力した高周波の受信信号に対して、シンセサイザ１０７ａ、１０７ｂから入力したローカル信号により中間周波数へ変調してフィルタ部１０８ａ〜１０８ｃへ出力する。
【００３０】
シンセサイザ１０７ａ、１０７ｂは、ローカル信号を生成して中間周波数変換部１０６ａ〜１０６ｃへ出力する。
【００３１】
フィルタ部１０８ａ〜１０８ｃは、中間周波数変換部１０６ａ〜１０６ｃから入力した中間周波数に変調された受信信号に対して、スプリアスの抑制処理を行って増幅部１０９ａ〜１０９ｃへ出力する。
【００３２】
増幅部１０９ａ〜１０９ｃは、フィルタ部１０８ａ〜１０８ｃから入力した受信信号を増幅して増幅部１１０ａ〜１１０ｃへ出力する。
【００３３】
増幅部１１０ａ〜１１０ｃは、増幅部１０９ａ〜１０９ｃから入力した受信信号をさらに増幅して復調部１１１ａ〜１１１ｃへ出力する。
【００３４】
復調部１１１ａ〜１１１ｃは、増幅部１１０ａ〜１１０ｃから入力した受信信号を復調してベースバンド部１１２へ出力する。広範囲網信号復調手段である復調部１１１ａ、１１１ｂは、広範囲網信号を個別に復調する。また、狭範囲網復調手段である復調部１１１ｃは、狭範囲網信号を復調する。
【００３５】
ベースバンド部１１２は、復調部１１１ａ〜１１１ｃから入力した復調後のベースバンド受信信号の受信処理を行い、表示部１１７、入力部１１８、振動部１１９、音声部１２０、記憶部１２１、カメラ１２２及び映像入出力端子部１２３へ出力する。また、ベースバンド部１１２は、復調部１１１ａ及び復調部１１１ｂの受信信号より、受信強度が強い方を選択して広範囲網における受信データとする。
【００３６】
分波部１１３は、第２の広範囲網信号受信手段であるアンテナ１０１ｂにて受信した広範囲網信号である受信信号より任意の信号を分波して増幅部１０３ｂへ出力する。
【００３７】
分波部１１４は、狭範囲網信号受信手段であるアンテナ１０１ｃにて受信した狭範囲網信号である受信信号より任意の信号を分波して増幅部１０３ｃへ出力する。
【００３８】
送信部１１６は、ベースバンド部１１２から入力した送信信号を無線周波数に変調して分波部１０２へ出力する。なお、本実施の形態においては、８００ＭＨｚ若しくは１．５ＧＨｚのＰＤＣ等を用いて送信するため、送信信号は増幅等の処理をされることなく送信部１１６から分波部１０２へ出力される。
【００３９】
表示部１１７は、ベースバンド部１１２から入力した受信信号に基づいて情報を表示する。表示部１１７に表示される情報は、広範囲網と狭範囲網の両方にて送信される情報であり、いずれの通信網の情報であっても表示することができる。したがって、老人及び視聴覚障害者は、２台の通信端末装置を携帯していなくても、１台の通信端末装置を携帯することにより所望の情報を入手することができる。
【００４０】
入力部１１８は、ベースバンド部１１２へ情報を出力する。振動部１１９は、ベースバンド部１１２から入力した受信信号に基づいて振動する。
【００４１】
音声部１２０は、ベースバンド部１１２から入力した受信信号より音声を発生するとともに、ベースバンド部１１２へ音声を出力する。記憶部１２１は、ベースバンド部１１２から入力した受信信号に基づいて映像、音声及び文字データ等を記録する。
【００４２】
カメラ１２２は、ベースバンド部１１２から入力した受信信号に基づいて映像を映す。映像入出力端子部１２３は、ベースバンド部１１２から入力した受信信号に基づいて音声及び映像信号をテレビ及びディスプレイ等に出力する。
【００４３】
次に、このような通信端末装置１００の用途について説明する。最初に、図２を用いて第１の用途について説明する。第１の用途においては、通信端末装置１００、ホームゲートウェイ２０１、ビデオカメラ２０２、インターホーン２０３とを設けてある。カメラ２０２に入力された映像は、狭範囲網２０６を介してカメラ２０２からホームゲートウェイ２０１へ送信される。また、インターホーン２０３に入力された映像は、狭範囲網２０７を介してインターホーン２０３からホームゲートウェイ２０１へ送信される。ホームゲートウェイ２０１は、カメラ２０２及びインターホーン２０３から入力した映像信号を処理する。そして、ホームゲートウェイ２０１は、狭範囲網２０５により送信できる環境である場合は狭範囲網２０５により通信端末装置１００へ映像信号を送信し、狭範囲網２０５により送信できる環境にない場合は広範囲網２０４により通信端末装置１００へ送信する。
【００４４】
ここで、狭範囲網２０５により送信できる環境としては、通信端末装置１００を使用している人が家に居る時に、室内等の比較的狭いエリアにおいて通信する場合が考えられる。この場合は、無線ＬＡＮ等を用いて通信を行う。また、狭範囲網２０５により送信できる環境にない場合としては、通信端末装置１００を使用する人が、外出等により屋外において通信を行う場合が考えられる。
【００４５】
このようにして通信端末装置１００にて受信された映像信号は、ベースバンド部１１２から表示部１１７へ出力され、スイッチ７０を操作することにより、図２に示すような案内として表示される。例えば、カメラ２０２の映像において寝ている赤ちゃんに何らかのアクションがあった場合は、その映像を通信端末装置１００に送信することで、赤ちゃんの様子をリアルタイムで知ることができる。また、インターホーン２０３の映像において突然の訪問者があった場合は、即座に知ることができる。その他に、盗難、侵入防止などにも利用することができる。
【００４６】
次に、図３を用いて第２の用途について説明する。第２の用途においては、通信端末装置１００、ホームゲートウェイ３０１、マイク３０２及びインターホーン３０３とを設けてある。マイク３０２に入力された音声は、狭範囲網３０４を介してホームゲートウェイ３０１へ送信される。また、インターホーン３０３に入力された音声は、狭範囲網３０５を介してホームゲートウェイ３０１へ送信される。ホームゲートウェイ３０１は、マイク３０２及びインターホーン３０３から入力した音声信号を処理する。そして、ホームゲートウェイ３０１は、狭範囲網３０６により送信できる環境である場合は狭範囲網３０６を介して通信端末装置１００へ音声信号を送信し、狭範囲網３０６により送信できる環境にない場合は広範囲網３０７を介して通信端末装置１００へ音声信号を送信する。
【００４７】
このようにして通信端末装置１００にて受信された音声信号は、ベースバンド部１１２から表示部１１７に入力し、音声に応じた文字情報として、図３に示すような案内として表示される。例えば、設置したマイク３０２に赤ちゃんの泣き声の入力があった場合は、泣き声を記録し、その泣き声を通信端末装置１００に送ることで赤ちゃんの状況をリアルタイムで知ることができる。また、設置したマイク３０２にドアをノックする音が入力した場合は、ノック音を記録し、そのノック音を通信端末装置１００に送ることで、突然の来訪者があったことを知ることができる。また、来客があった場合は、インターホーン３０３のボタン３０９よりマイクが作動し、来客の音声を通信端末装置１００へ送信することにより、音声による来客からのメッセージ等を確認することができる。その他に、盗難、侵入防止などに利用することができる。なお、マイク３０２及びインターホーン３０３に入力された音声を分析して、人の声なら音声認識処理、生活から生じる音なら音の種類を分別する処理を行い、表示部１１７に音の種類を表示することができる。これより聴覚障害者でも安心して使える通信構成を実現することができる。
【００４８】
このように、本実施の形態によれば、広範囲網における情報信号の送受信及び狭範囲網における情報信号の受信のいずれにも１台の通信端末装置にて通信を行うことができるので、携帯性に優れているとともに効率よく通信を行うことができる。また、視聴覚障害者等が必要な情報を得ることができる。また、アンテナ１０１ａ及びアンテナ１０１ｂの２本のアンテナを用いてダイバーシチ受信するので、受信品質の良好な受信データを得ることができる。また、狭範囲網信号の処理においては、受信回路のみを設けて送信回路は設けないので、回路規模を小さくすることができ、通信端末装置１００を小型化することができる。
【００４９】
（実施の形態２）
図４は、本発明の実施の形態２に係る通信端末装置４００の構成を示す図である。本実施の形態における通信端末装置４００は、スイッチ４０１を設ける構成、分波部４０２により送信信号と受信信号とを分波する構成、フィルタ部１０８ｂ、増幅部１０９ｂ、増幅部１１０ｂ、復調部１１１ｂをアンテナ１０１ｂにて受信した受信信号の処理とアンテナ１０１ｃにおいて受信した受信信号の処理に共用している構成及び送信部１１６ｂを設ける構成が図１と相違している。なお、図１と同一構成である部分は同一の符号を付してその説明を省略する。
【００５０】
スイッチ４０１は、中間周波数変換部１０６ｂとフィルタ部１０８ｂとの接続及び中間周波数変換部１０６ｃとフィルタ部１０８ｂとの接続を切り替えるものである。スイッチ４０１を切り替えることにより、アンテナ１０１ｂにて受信した受信信号及びアンテナ１０１ｃにて受信した受信信号のいずれか一方がフィルタ部１０８ｂに入力し、復調する受信信号を選択することができる。
【００５１】
分波部４０２は、アンテナ１０１ｃにて受信した受信信号と送信部１１６ｂから入力した送信信号とを分波し、受信信号を増幅部１０３ｃへ出力するとともに、送信信号をアンテナ１０１ｃから送信する。
【００５２】
送信部１１６ｂは、ベースバンド部１１２から入力した送信信号を無線周波数に変調して分波部４０２へ出力する。
【００５３】
このように、本実施の形態によれば、広範囲網における信号の送受信及び狭範囲網における信号の送受信のいずれにも１台の通信端末装置にて通信を行うことができるので、携帯性に優れているとともに効率よく通信を行うことができる。また、視聴覚障害者等が必要な情報を得ることができる。また、アンテナ１０１ａ及びアンテナ１０１ｂの２本のアンテナを用いてダイバーシチ受信するので、受信品質の良好な受信データを得ることができる。また、アンテナ１０１ｂにて受信した受信信号の処理とアンテナ１０１ｃにおいて受信した受信信号の処理とは、同一のフィルタ部１０８ｂ、増幅部１０９ｂ、増幅部１１０ｂ及び復調部１１１ｂを用いて処理することができるため、回路構成を簡素化することができ、装置全体を小型化することができる。また、アンテナ１０１ｂにて受信した受信信号の処理とアンテナ１０１ｃにおいて受信した受信信号の処理とを共通の回路にして、その空いたスペースに狭範囲網における送信信号の処理回路を設けるので、小型であって、かつ広範囲網と狭範囲網の両方において送受信することができる。
【００５４】
（実施の形態３）
図５は、本発明の実施の形態３に係る通信端末装置５００の構成を示す図である。本実施の形態における通信端末装置５００は、分波部５０１が送受信信号の分波を行う構成及び送信部５０２を設ける構成が図１と相違している。なお、図１と同一構成である部分は同一の符号を付してその説明を省略する。
【００５５】
分波部５０１は、アンテナ１０１ｃにて受信した受信信号と送信部５０２から入力した送信信号とを分波して、アンテナ１０１ｃにて受信した受信信号を増幅部１０３ｃへ出力するとともに、送信部５０２から入力した送信信号をアンテナ１０１ｃから送信する。
【００５６】
送信部５０２は、ベースバンド部１１２から入力した送信信号を無線周波数に変調して分波部５０１へ出力する。
【００５７】
次に、このような通信端末装置５００の用途について説明する。最初に、図６を用いて第１の用途について説明する。第１の用途においては、通信端末装置５００及びテレビ６０２とを設けてある。そして、テレビ６０２のスイッチ６０１をオン操作することにより、狭範囲網６０３を介して音声信号及び映像信号を通信端末装置５００とテレビ６０２との間で送受信することができる。
【００５８】
例えば、通信端末装置５００の表示部１１７に表示されている映像データが、表示部１１７からベースバンド部１１２へ映像信号として出力されてテレビ６０２へ送信されることにより、テレビ６０２の大きなディスプレイ６０５で表示部１１７の表示と同一の表示を見ることができる。またその逆に、テレビ６０２のディスプレイ６０５の映像信号が通信端末装置５００へ送信され、送信された映像信号を受信した通信端末装置５００は、ベースバンド部１１２から表示部１１７へ映像信号を出力することによって表示部１１７にてディスプレイ６０５と同一の映像を見ることができる。なお、テレビ６０２と通信端末装置５００との送受信は、テレビ６０２のスイッチ６０１及び通信端末装置５００のスイッチ６０６を切り替えることにより行う。その他、カーナビゲーションシステムの受信装置が広範囲網及び狭範囲網にて受信した情報データを、カーナビゲーションシステムの受信装置のディスプレイに送信して表示させる場合にも適用可能である。
【００５９】
次に、図７を用いて第２の用途について説明する。第２の用途においては、ビデオカメラ７０１及び２台の通信端末装置５００ａ、５００ｂとを設けてある。ビデオカメラ７０１は、撮影した映像を狭範囲網７０２を介して通信端末装置５００ｂへ送る。通信端末装置５００ｂは、受信したビデオカメラ７０１からの映像信号をベースバンド部１１２から表示部１１７へ出力することによりビデオカメラ７０１で撮影した映像等を見ることができる。
【００６０】
更に、通信端末装置５００ｂは、広範囲網７０３を介して別の通信端末装置５００ａへビデオカメラ７０１で撮影した映像信号を送る。通信端末装置５００ａは、受信した映像信号をベースバンド部１１２から表示部１１７へ出力することにより、ビデオカメラ７０１で撮影した映像が遠くに離れている通信端末装置５００ａで見ることができる。また、通信端末装置５００ａが受信した音声情報及び映像情報は、上記第１の用途において説明したシステムを用いれば、テレビ６０２のディスプレイ６０５にて見ることができる。
【００６１】
次に、図８を用いて第３の用途について説明する。第３の用途においては、ビデオカメラ８０１、通信端末装置５００及び映像録画装置８０２とを設けてある。ビデオカメラ８０１で撮影した音声及び映像は、狭範囲網８０３を介してビデオカメラ８０１から通信端末装置５００へ送信され、映像入出力端子１２３を経由して映像録画装置８０２に送信される。このように、ビデオカメラ８０１で撮影した音声情報及び映像情報は、映像録画装置８０２にて記録される。
【００６２】
次に、図９を用いて第４の用途について説明する。第４の用途においては、ビデオカメラ９０１、２台の通信端末装置５００ａ、５００ｂ及び映像録画装置９０２とを設けてある。ビデオカメラ９０１は、撮影した映像信号及び音声信号を狭範囲網９０３を介して通信端末装置５００ｂへ送信し、映像信号及び音声信号を受信した通信端末装置５００ｂは、ベースバンド部１１２から表示部１１７へ映像信号及び音声信号を出力することにより表示部１１７にて見ることができる。
【００６３】
更に、通信端末装置５００ｂは、スイッチ５３を操作することにより、表示部１１７よりベースバンド部１１２へ受信した映像信号及び音声信号を出力し、通信端末装置５００ｂは、広範囲網９０４を介して別の通信端末装置５００ａへ映像信号及び音声信号を送信する。映像信号及び音声信号を受信した通信端末装置５００ａは、映像信号及び音声信号をベースバンド部１１２から映像入出力端子部１２３へ出力し、映像入出力端子部１２３から映像録画装置９０２へ出力され、映像録画装置９０２は、受信した映像信号及び音声信号を記録する。
【００６４】
次に、図１０を用いて第５の用途について説明する。第５の用途においては、２台の通信端末装置５００ａ、５００ｂを設ける。通信端末装置５００ａ、５００ｂは、呼び出しボタン１００１、１００２及びランプ１００３、１００４を備えている。通信端末装置５００ａの呼び出しボタン１００１を押すと、通信端末装置５００ａから通信端末装置５００ｂへ広範囲網１００５若しくは狭範囲網１００６を介して呼び出し信号が送信され、呼び出し信号を受信した通信端末装置５００ｂはランプ１００４が点灯するため、呼び出した相手を気付かせることができる。
【００６５】
次に、図１１を用いて第６の用途について説明する。第６の用途においては、２台の通信端末装置５００ａ、５００ｂを設ける。通信端末装置５００ａ、５００ｂは、呼び出しボタン１１０１、１１０２を備えている。通信端末装置５００ａの呼び出しボタン１１０１を押すと、通信端末装置５００ａから通信端末装置５００ｂへ広範囲網１１０４若しくは狭範囲網１１０５を介して呼び出し信号が送信され、呼び出し信号を受信した通信端末装置５００ｂの表示部１１７の色が反転するため、呼び出した相手を気付かせることができる。
【００６６】
次に、図１２を用いて第７の用途について説明する。第７の用途においては、２台の通信端末装置５００ａ、５００ｂを設ける。通信端末装置５００ａ、５００ｂは、呼び出しボタン１２０１、１２０２を備えている。通信端末装置５００ａの呼び出しボタン１２０１を押すと、通信端末装置５００ａから通信端末装置５００ｂへ広範囲網１２０３若しくは狭範囲網１２０４を介して呼び出し信号が送信され、呼び出し信号を受信した通信端末装置５００ｂは、ベースバンド部１１２から振動部１１９へ呼び出し信号を出力し、振動部１１９が振動することにより、呼び出した相手を気付かせることができる。
【００６７】
次に、図１３を用いて第８の用途について説明する。第８の用途においては、通信端末装置５００は、取り外し自在な狭範囲網送受信装置１３０１を備えている。通信端末装置５００は、広範囲網１３０２を介して他の通信端末装置と通信を行うことができるとともに、狭範囲網送受信装置１３０１が取り付けられている時は、狭範囲網送受信装置１３０１及び狭範囲網１３０３を介して他の通信端末装置と送受信を行うことができる。一方、狭範囲網送受信装置１３０１を通信端末装置５００から取り外した場合は、狭範囲網送受信装置１３０１単独で狭範囲網１３０３を介して送受信を行うことができる。例えば、狭範囲網送受信装置１３０１単独でパソコンやモバイル端末に接続し、狭範囲網１３０３を介して通信することができ、多様な通信手段が図れる。
【００６８】
次に、図１４を用いて第９の用途について説明する。第９の用途においては、通信端末装置５００ａが待ち合わせモードに設定されている場合は、スイッチ１４０１を押すと、通信端末装置５００ａより狭範囲網１４０３若しくは広範囲網１４０２を介して一定の送信電力を送信信号とともに発信する。通信端末装置５００ａが発信した信号を受信した通信端末装置５００ｂは、受信した信号の受信電界強度より距離値を算出し、距離値を通信端末装置５００ｂの表示部１１７に表示する。
【００６９】
また、通信端末装置５００ｂは、通信端末装置５００ａに距離値を知らせるため、スイッチ６８を押すと、通信端末装置５００ｂから通信端末装置５００ａへ広範囲網１４０２若しくは狭範囲網１４０３を介して距離値の情報を含む送信信号を送信する。通信端末装置５００ｂより距離値の情報を受信した通信端末装置５００ａは、ベースバンド部１１２から表示部１１７へ距離値の情報を出力して表示部１１７に距離値を表示させることが可能になる。このように、相手との待ち合わせに相手の状況を知ることができる。また、相手の探索にも役に立つ。
【００７０】
次に、図１５を用いて第１０の用途について説明する。第１０の用途においては、通信端末装置５００が検索したい位置を設定し、目標把握ボタン１５０１を押すと、通信端末装置５００より広範囲網１５０２若しくは狭範囲網１５０３を介して一定の送信電力を発信する。対象建物１５０４に設置した送受信機は、通信端末装置５００の発信した信号を受信し、対象建物１５０４の送受信機は受信した信号の受信電界強度より距離値を算出する。対象建物１５０４の送受信機は、算出した距離値の情報を含む送信信号を通信端末装置５００へ広範囲網１５０２若しくは狭範囲網１５０３を介して送信する。距離値を含む信号を受信した通信端末装置５００は、距離値の情報をベースバンド部１１２から表示部１１７へ出力し、表示部１１７に距離値を表示させることが可能になる。このように、目標までの距離を知ることができ、スムーズに目標まで誘導することができる。また、相手の探索にも役に立つ。
【００７１】
次に、図１６を用いて第１１の用途について説明する。第１１の用途においては、通信端末装置５００は、図示しないカメラを備えており、緊急事態が発生した時に緊急モードスイッチ１６０１を押すと、自動にカメラ１２２が撮影モードになって現場の状況を映す。映された映像は、カメラ１２２からベースバンド部１１２へ出力されて通信端末装置５００から広範囲網１６０６若しくは狭範囲網１６０７を介して連絡センター１６０２へ送信される。
【００７２】
また、通信端末装置５００は、自動に文字入力モードになり、状況にあった選択方式及び文字入力方式で連絡センター１６０２へ知らせることができる。緊急連絡をうけた連絡センター１６０２は、通信端末装置５００より受信した映像データで現場を把握し、的確な回答をすることができる。また、狭範囲網１６０７の位置情報が、通信端末装置５００より連絡センター１６０２へ送信されることにより、発信者がいる場所の住所がわからなくても自動的に連絡センター１６０２で知ることができる。また、聴覚障害者は、通信端末装置５００に対して文字入力をして、広範囲網１６０６若しくは狭範囲網１６０７を介して連絡センター１６０２に送信することにより、連絡センター１６０２は状況を把握することができる。このように、老人や聴覚障害者、視覚障害者でも簡単に緊急連絡ができ、説明しにくい場面を映像で見せることで連絡センター１６０２は短時間で現場の状況を把握でき、速やかに警察１６０３、消防１６０４及び救急１６０５を派遣することができる。なお、表示部１１７に表示される案内としては、図１６に示すようなものが考えられる。
【００７３】
このように、本実施の形態によれば、広範囲網における情報信号の送受信及び狭範囲網における情報信号の受信のいずれにも１台の通信端末装置にて通信を行うことができるので、携帯性に優れているとともに効率よく通信を行うことができる。また、視聴覚障害者等が必要な情報を得ることができる。また、アンテナ１０１ａ及びアンテナ１０１ｂの２本のアンテナを用いてダイバーシチ受信するので、受信品質の良好な受信データを得ることができる。また、狭範囲網の環境において送信することができるため、使い勝手の良い通信端末装置を提供することができる。
【００７４】
なお、本実施の形態において、フィルタ部１８０ｂから復調部１１１ｂとフィルタ部１０８ｃから復調部１１１ｃとを別々に設けることとしたが、フィルタ部１８０ｂから復調部１１１ｂとフィルタ部１０８ｃから復調部１１１ｃとを１つにまとめて共用するようにし、広範囲網の受信信号及び狭範囲網の受信信号をスイッチにより切り替えて復調するようにしても良い。
【００７５】
（実施の形態４）
図１７は、本発明の実施の形態４に係る通信端末装置１７００の構成を示す図である。本実施の形態における通信端末装置１７００は、変調部１７０１を設ける構成、増幅部１０３ｄ、フィルタ部１０４ｄ、増幅部１０５ｄ、周波数変換部１０６ｄ、フィルタ部１０８ｄ、増幅部１０９ｄ、増幅部１１０ｄ及び復調部１１１ｄを設ける構成及び増幅部１０３ｂ、１０３ｃ、フィルタ部１０４ｂ、１０４ｃ、増幅部１０５ｂ、１０５ｃ、周波数変換部１０６ｂ、１０６ｃ、スイッチ４０１、フィルタ部１０８ｂ、増幅部１０９ｂ及び増幅部１１０ｂを送信信号処理に用いる構成が図４の構成と相違している。なお、図１及び図４と同一の構成は、同一の符号を付してその説明を省略する。
【００７６】
分波部１０２、増幅部１０３ａ、フィルタ部１０４ａ、増幅部１０５ａ、周波数変換部１０６ａ、シンセサイザ１０７ａ、フィルタ部１０８ａ、増幅部１０９ａ、増幅部１１０ａ及び復調部１１１ａは、広範囲網における受信信号の処理を行うものであり、分波部１０２、増幅部１０３ｂ、フィルタ部１０４ｂ、増幅部１０５ｂ、周波数変換部１０６ｂ、シンセサイザ１０７ａ、フィルタ部１０８ｂ、増幅部１０９ｂ、増幅部１１０ｂ及び変調部１７０１は、広範囲網における送信信号の処理を行うものであり、分波部４０２、増幅部１０３ｃ、フィルタ部１０４ｃ、増幅部１０５ｃ、周波数変換部１０６ｃ、シンセサイザ１０７ｂ、フィルタ部１０８ｂ、増幅部１０９ｂ、増幅部１１０ｂ及び変調部１７０１は、狭範囲網における送信信号の処理を行うものであり、分波部４０２、増幅部１０３ｄ、フィルタ部１０４ｄ、増幅部１０５ｄ、周波数変換部１０６ｄ、シンセサイザ１０７ｂ、フィルタ部１０８ｄ、増幅部１０９ｄ、増幅部１１０ｄ及び復調部１１１ｄは、狭範囲網における受信信号の処理を行うものである。フィルタ部１０８ｂ、増幅部１０９ｂ、増幅部１１０ｂ及び変調部１７０１は、広範囲網と狭範囲網における送信信号の両方の処理を行う。なお、本実施の形態の狭範囲網においては、５ＧＨｚの無線ＬＡＮ等を用いて送信するため、変調部１７０１にて変調された送信信号は複数回増幅された後に送信される。
【００７７】
増幅部１０３ｂは、フィルタ部１０４ｂから入力した送信信号を増幅して分波部１０２へ出力する。フィルタ部１０４ｂは、増幅部１０５ｂから入力した送信信号に対して、スプリアスの抑制処理を行って増幅部１０３ｂへ出力する。
【００７８】
増幅部１０５ｂは、周波数変換部１０６ｂから入力した送信信号を増幅してフィルタ部１０４ｂへ出力する。周波数変換部１０６ｂは、フィルタ部１０８ｂから入力した高周波の受信信号に対して、シンセサイザ１０７ａから入力したローカル信号により中間周波数へ変調して増幅部１０５ｂへ出力する。
【００７９】
フィルタ部１０８ｂは、増幅部１０９ｂから入力した送信信号に対して、スプリアスの抑制処理を行って周波数変換部１０６ｂ若しくは周波数変換部１０６ｃへ出力する。増幅部１０９ｂは、増幅部１１０ｂから入力した送信信号を増幅してフィルタ部１０８ｂへ出力する。
【００８０】
増幅部１１０ｂは、変調部１７０１から入力した送信信号を増幅して増幅部１０９ｂへ出力する。変調部１７０１は、ベースバンド部１１２から入力した送信信号を変調して増幅部１１０ｂへ出力する。
【００８１】
増幅部１０３ｃは、フィルタ部１０４ｃから入力した送信信号を増幅して分波部４０２へ出力する。フィルタ部１０４ｃは、増幅部１０５ｃから入力した送信信号に対して、スプリアスの抑制処理を行って増幅部１０３ｃへ出力する。
【００８２】
増幅部１０５ｃは、周波数変換部１０６ｃから入力した送信信号を増幅してフィルタ部１０４ｃへ出力する。周波数変換部１０６ｃは、フィルタ部１０８ｂから入力した高周波の受信信号に対して、シンセサイザ１０７ｂから入力したローカル信号により中間周波数へ変調して増幅部１０５ｃへ出力する。
【００８３】
スイッチ４０１は、広範囲網を用いて送信する場合はフィルタ部１０８ｂから出力される送信信号を増幅部１０５ｂへ出力するように切り替えるとともに、狭範囲網を用いて送信する場合はフィルタ部１０８ｂから出力される送信信号を増幅部１０５ｃへ出力するように切り替える。
【００８４】
このように、本実施の形態によれば、広範囲網における信号の送受信及び狭範囲網における信号の送受信のいずれにも１台の通信端末装置にて通信を行うことができるので、携帯性に優れているとともに効率よく通信を行うことができる。また、視聴覚障害者等が必要な情報を得ることができる。また、広範囲網における送信信号の処理回路と狭範囲網における送信信号の処理回路を共用にしたので、回路規模を小さくすることができ、通信端末装置１７００を小型化することができる。
【００８５】
なお、本実施の形態において、広範囲網における送受信及び狭範囲網における送受信を２本以上のアンテナを用いてダイバーシチ受信及びダイバーシチ送信するようにしても良い。
【００８６】
上記実施の形態１から実施の形態３においては、アンテナ１０１ａ及びアンテナ１０１ｂの２本によってダイバーシチ受信することとしたが、３本以上のアンテナにてダイバーシチ受信するようにしても良く、また、アンテナ１０１ａ及びアンテナ１０１ｂのいずれか１つのアンテナにして、ダイバーシチ受信ではない通常の受信方法にて受信するようにしても良い。
【００８７】
【発明の効果】
以上説明したように、本発明によれば、通信端末装置１台で広範囲網と狭範囲網の両方において通信を行うことができ、携帯の際にかさばらないとともに、通信環境の良好な通信網を用いることにより受信品質が良好な効率の良い通信を行うことができる。
【図面の簡単な説明】
【図１】本発明の実施の形態１に係る通信端末装置の構成を示すブロック図
【図２】本発明の実施の形態１に係る通信端末装置の用途を示す図
【図３】本発明の実施の形態１に係る通信端末装置の用途を示す図
【図４】本発明の実施の形態２に係る通信端末装置の構成を示すブロック図
【図５】本発明の実施の形態３に係る通信端末装置の構成を示すブロック図
【図６】本発明の実施の形態３に係る通信端末装置の用途を示す図
【図７】本発明の実施の形態３に係る通信端末装置の用途を示す図
【図８】本発明の実施の形態３に係る通信端末装置の用途を示す図
【図９】本発明の実施の形態３に係る通信端末装置の用途を示す図
【図１０】本発明の実施の形態３に係る通信端末装置の用途を示す図
【図１１】本発明の実施の形態３に係る通信端末装置の用途を示す図
【図１２】本発明の実施の形態３に係る通信端末装置の用途を示す図
【図１３】本発明の実施の形態３に係る通信端末装置の用途を示す図
【図１４】本発明の実施の形態３に係る通信端末装置の用途を示す図
【図１５】本発明の実施の形態３に係る通信端末装置の用途を示す図
【図１６】本発明の実施の形態３に係る通信端末装置の用途を示す図
【図１７】本発明の実施の形態４に係る通信端末装置の構成を示すブロック図
【符号の説明】
１００、４００、５００、１７００　通信端末装置
１０２、１１３、１１４、５０１　分波部
１０３ａ、１０３ｂ、１０３ｃ　増幅部
１０４ａ、１０４ｂ、１０４ｃ　フィルタ部
１０５ａ、１０５ｂ、１０５ｃ　増幅部
１０６ａ、１０６ｂ、１０６ｃ　中間周波数変換部
１０７ａ、１０７ｂ　シンセサイザ
１０８ａ、１０８ｂ、１０８ｃ　フィルタ部
１０９ａ、１０９ｂ、１０９ｃ　増幅部
１１０ａ、１１０ｂ、１１０ｃ　増幅部
１１１ａ、１１１ｂ、１１１ｃ　復調部
１１２　ベースバンド部
４０１　スイッチ
【図１】
2004080312.tif 000003
【図２】
2004080312.tif 000004
【図３】
2004080312.tif 000005
【図４】
2004080312.tif 000006
【図５】
2004080312.tif 000007
【図６】
2004080312.tif 000008
【図７】
2004080312.tif 000009
【図８】
2004080312.tif 000010
【図９】
2004080312.tif 000011
【図１０】
2004080312.tif 000012
【図１１】
2004080312.tif 000013
【図１２】
2004080312.tif 000014
【図１３】
2004080312.tif 000015
【図１４】
2004080312.tif 000016
【図１５】
2004080312.tif 000017
【図１６】
2004080312.tif 000018
【図１７】
2004080312.tif 000019